(57)【要約】【課題】消耗品を容易に管理することができる。【解決手段】消耗品管理システム１は、情報取得部３１と、判定部３２と、出力制御部３３とを備える。情報取得部３１は、入浴者の入浴状況に関する物理量を取得する。判定部３２は、情報取得部３１で取得された物理量の積算開始時からの積算値が閾値以上であるか否かを判定する。出力制御部３３は、判定部３２で積算値が閾値以上であると判定された場合、入浴にかかわる消耗品の購入に関する情報を出力する。【選択図】図１
2019185760.tif 000002
【特許請求の範囲】
【請求項１】
入浴者の入浴状況に関する物理量を取得する情報取得部と、
前記情報取得部で取得された前記物理量の積算開始時からの積算値が閾値以上であるか否かを判定する判定部と、
前記判定部で前記積算値が前記閾値以上であると判定された場合、入浴にかかわる消耗品の購入に関する情報を出力する出力制御部と、を備える
ことを特徴とする消耗品管理システム。
【請求項２】
記憶部と、
浴室内に設けられており前記入浴者を検出する検出部と、を更に備え、
前記情報取得部は、前記入浴状況に関する前記物理量として、前記検出部の検出結果を取得し、
前記記憶部は、前記物理量の前記積算値として、前記検出結果のカウント数を記憶し、
前記判定部は、前記カウント数が前記閾値以上であるか否かを判定し、
前記出力制御部は、前記判定部で前記カウント数が前記閾値以上であると判定された場合、前記情報を出力する
ことを特徴とする請求項１に記載の消耗品管理システム。
【請求項３】
前記消耗品が購入されたことに関する購入情報を取得すると前記積算値をリセットするリセット部を更に備える
ことを特徴とする請求項１又は２に記載の消耗品管理システム。
【請求項４】
前記判定部は、前記消耗品が購入されたことに関する購入情報を取得すると、前記積算開始時から購入タイミングまでの積算値を前記閾値として用いる
ことを特徴とする請求項１〜３のいずれか１項に記載の消耗品管理システム。
【請求項５】
前記入浴者を識別する識別部を更に備え、
前記判定部は、前記入浴者ごとに、前記積算値が前記閾値以上であるか否かを判定する
ことを特徴とする請求項１〜４のいずれか１項に記載の消耗品管理システム。
【請求項６】
前記識別部は、外部装置から出力されて前記入浴者を識別するための識別情報を用いて前記入浴者を識別する
ことを特徴とする請求項５に記載の消耗品管理システム。
【請求項７】
前記識別部は、前記入浴者が入浴するごとに、前記外部装置から前記識別情報を受信するサーバから、前記識別情報に基づく入浴者情報を取得し、前記入浴者情報を用いて前記入浴者を識別する
ことを特徴とする請求項６に記載の消耗品管理システム。
【請求項８】
前記識別部は、前記入浴者が入浴するごとに、前記外部装置から前記識別情報を取得する
ことを特徴とする請求項６に記載の消耗品管理システム。
【発明の詳細な説明】
【技術分野】
【０００１】
本発明は、一般に消耗品管理システムに関する。
【背景技術】
【０００２】
従来、消耗品を管理するサービス提供システム（消耗品管理システム）が知られている（例えば、特許文献１参照）。
【０００３】
特許文献１に記載されたサービス提供システムは、センサ及び通信モジュールを備える容器と、中継装置と、サーバ装置とを有する。センサは、容器のポンプノズルが内容物を出力する出力動作を検知する。通信モジュールは、センサが生じさせる検知信号に基づいて容器識別情報を含む信号を発信する。サーバ装置は、中継装置を介して通信モジュールから受信した容器識別情報で特定される容器内の内容物の残量を更新し、内容物の残量について所定の条件が成立した場合に、所定のサービスを実行する。
【先行技術文献】
【特許文献】
【０００４】
【特許文献１】特開２０１７−１９１５５４号公報
【発明の概要】
【発明が解決しようとする課題】
【０００５】
しかしながら、特許文献１に記載されたサービス提供システムのような従来の消耗品管理システムでは、容器にセンサ及び通信モジュールを取り付ける必要があり、手間がかかり、かつ、コストが高くなるという問題があった。また、従来の消耗品管理システムでは、容器に入っている消耗品ではなく、入浴剤等、袋にパッケージされている消耗品に対応させることが難しいという問題もあった。
【０００６】
本発明は上記の点に鑑みてなされた発明であり、本発明の目的は、浴室で使用される消耗品を容易に管理することができる消耗品管理システムを提供することにある。
【課題を解決するための手段】
【０００７】
請求項１の発明に係る消耗品管理システムは、情報取得部と、判定部と、出力制御部とを備える。前記情報取得部は、入浴者の入浴状況に関する物理量を取得する。前記判定部は、前記情報取得部で取得された前記物理量の積算開始時からの積算値が閾値以上であるか否かを判定する。前記出力制御部は、前記判定部で前記積算値が前記閾値以上であると判定された場合、入浴にかかわる消耗品の購入に関する情報を出力する。
【０００８】
請求項２の発明に係る消耗品管理システムは、請求項１の発明に係る消耗品管理システムにおいて、記憶部と、検出部とを更に備える。前記検出部は、浴室内に設けられており、前記入浴者を検出する。前記情報取得部は、前記入浴状況に関する前記物理量として、前記検出部の検出結果を取得する。前記記憶部は、前記物理量の前記積算値として、前記検出結果のカウント数を記憶する。前記判定部は、前記カウント数が前記閾値以上であるか否かを判定する。前記出力制御部は、前記判定部で前記カウント数が前記閾値以上であると判定された場合、前記情報を出力する。
【０００９】
請求項３の発明に係る消耗品管理システムは、請求項１又は２の発明に係る消耗品管理システムにおいて、リセット部を更に備える。前記リセット部は、前記消耗品が購入されたことに関する購入情報を取得すると前記積算値をリセットする。
【００１０】
請求項４の発明に係る消耗品管理システムでは、請求項１〜３の発明のいずれか１つに係る消耗品管理システムにおいて、前記判定部は、前記消耗品が購入されたことに関する購入情報を取得すると、前記積算開始時から購入タイミングまでの積算値を前記閾値として用いる。
【００１１】
請求項５の発明に係る消耗品管理システムは、請求項１〜４の発明のいずれか１つに係る消耗品管理システムにおいて、識別部を更に備える。前記識別部は、前記入浴者を識別する。前記判定部は、前記入浴者ごとに、前記積算値が前記閾値以上であるか否かを判定する。
【００１２】
請求項６の発明に係る消耗品管理システムでは、請求項５の発明に係る消耗品管理システムにおいて、前記識別部は、外部装置から出力される識別情報を用いて前記入浴者を識別する。前記識別情報は、前記入浴者を識別するための情報である。
【００１３】
請求項７の発明に係る消耗品管理システムでは、請求項６の発明に係る消耗品管理システムにおいて、前記識別部は、前記入浴者が入浴するごとに、サーバから、前記識別情報に基づく入浴者情報を取得する。前記サーバは、前記外部装置から前記識別情報を受信する。前記識別部は、前記入浴者情報を用いて前記入浴者を識別する。
【００１４】
請求項８の発明に係る消耗品管理システムでは、請求項６の発明に係る消耗品管理システムにおいて、前記識別部は、前記入浴者が入浴するごとに、前記外部装置から前記識別情報を取得する。
【発明の効果】
【００１５】
請求項１の発明に係る消耗品管理システムは、入浴者の入浴状況に関する物理量の積算値が閾値以上である場合、入浴にかかわる消耗品の購入に関する情報を出力する。これにより、例えば、上記情報を報知部に出力することによって、消耗品の購入を促す旨の情報を報知部に報知させることができるので、ユーザに対して、消耗品の残量がない又は少ないことを容易に把握させることができる。あるいは、上記情報をネット通販会社に出力することによって、消耗品の自動発注を行うことができる。その結果、消耗品の在庫切れや過剰在庫とならないようにすることができる。特に、消耗品が複数存在する場合、消耗品ごとに、残量がない又は少ないことを把握させることができるので、ユーザによる消耗品の在庫管理の負担を低減させることができる。
【００１６】
請求項２の発明に係る消耗品管理システムは、浴室内の入浴者を検出する検出部の検出結果のカウント数が閾値以上である場合、消耗品の購入に関する情報を出力する。これにより、例えば入浴日数又は入浴回数に応じて、消耗品の購入を促すことができる。１日の入浴、１回の入浴あたりの消耗品の使用量は一定範囲内であることが多いので、消耗品の購入のタイミングの精度を高めることができる。
【００１７】
請求項３の発明に係る消耗品管理システムは、消耗品が購入されたことに関する購入情報を取得すると、積算値をリセットする。これにより、新しい消耗品に対する管理を容易に開始させることができる。つまり、ユーザが手動でリセット作業を行うことなく、消耗品の購入と連動させて積算値をリセットさせることができる。
【００１８】
請求項４の発明に係る消耗品管理システムは、消耗品が購入されたことに関する購入情報を取得すると、今回の積算開始時から購入タイミングまでの積算値を新しい閾値として用いる。これにより、消耗品の実際の消費期間に合うように閾値を変更することができるので、より精度の高いタイミングで消耗品の購入を促すことができる。
【００１９】
請求項５の発明に係る消耗品管理システムは、入浴者ごとに、積算値が閾値以上であるか否かを判定する。これにより、入浴者ごとに消耗品が異なる場合であっても、消耗品の管理を容易に行うことができる。例えば、家族において、入浴者ごとにシャンプーが異なる場合、複数のシャンプーの残量を管理するのは煩雑であるが、請求項５の発明に係る消耗品管理システムでは、複数の消耗品に対しても容易に管理を行うことができる。
【００２０】
請求項６の発明に係る消耗品管理システムは、外部装置からの識別情報を用いて入浴者を識別する。これにより、入浴者を容易に識別することができる。
【００２１】
請求項７の発明に係る消耗品管理システムによれば、外部装置及びサーバを含む外部システムからの情報を用いて、入浴者を容易に識別することができる。
【００２２】
請求項８の発明に係る消耗品管理システムは、サーバを介さずに、外部装置からの識別情報を取得することができる。これにより、簡単なシステム構成で入浴者を識別することができる。
【図面の簡単な説明】
【００２３】
【図１】図１は、本発明の実施形態１に係る消耗品管理システムの概略構成図である。
【図２】図２は、同上の消耗品管理システムの動作を示すフローチャートである。
【図３】図３は、同上の消耗品管理システムでの日数管理における報知タイミングを示す説明図である。
【図４】図４は、同上の消耗品管理システムでの回数管理における報知タイミングを示す説明図である。
【図５】図５は、本発明の実施形態２に係る消耗品管理システムの概略構成図である。
【図６】図６は、本発明の実施形態２の変形例に係る消耗品管理システムの概略構成図である。
【発明を実施するための形態】
【００２４】
以下、実施形態に係る消耗品管理システムについて、図面を参照して説明する。
【００２５】
（実施形態１）
（１）消耗品管理システム
本実施形態に係る消耗品管理システム１は、図１に示すように、検出装置２と、制御装置３と、操作装置４とを備える。制御装置３は、情報取得部３１と、判定部３２と、出力制御部３３とを備える。
【００２６】
情報取得部３１は、入浴者の入浴状況に関する物理量を取得する。判定部３２は、情報取得部３１で取得された物理量の積算開始時からの積算値が閾値以上であるか否かを判定する。出力制御部３３は、判定部３２で積算値が閾値以上であると判定された場合、浴室９で使用される消耗品の購入に関する情報を出力する。
【００２７】
なお、入浴者の入浴状況とは、例えば、入浴者の入浴日数、入浴者の入浴回数、又は、入浴者の入浴に使用される湯水量である。入浴者の入浴日数は、入浴者の浴室９への入室日数と、入浴者の浴槽９３への入浴日数とを含む概念である。入浴者の入浴回数は、入浴者の浴室９への入室回数と、入浴者の浴槽９３への入浴回数とを含む概念である。
【００２８】
本実施形態に係る消耗品管理システム１は、入浴にかかわる消耗品を管理するために用いられる。入浴にかかわる消耗品は、浴室９で使用される消耗品と、脱衣室で使用される消耗品とを含む概念である。浴室９で使用される消耗品としては、シャンプー、リンス、ボディソープ、入浴剤等がある。脱衣室で使用される消耗品としては、保湿クリーム、ヘアトニック等がある。
【００２９】
（２）消耗品管理システムの各構成要素
次に、本実施形態に係る消耗品管理システム１の各構成要素について、図面を参照して説明する。
【００３０】
消耗品管理システム１は、検出装置２と、制御装置３と、操作装置４とを備える。消耗品管理システム１は、ネットワーク６を介してサーバ５と通信することが可能である。また、消耗品管理システム１は、端末装置７及びネット通販会社８と通信することが可能である。
【００３１】
（２．１）検出装置
検出装置２は、複数のセンサ（第１センサ２１、第２センサ２２）を有し、浴室９内の入浴者を検出する。
【００３２】
第１センサ２１（検出部）は、浴室９内に設けられており、入浴者を検出する。より詳細には、第１センサ２１は、例えば人感センサであり、浴室９内の洗い場空間９１に設けられている。第１センサ２１は、例えば洗い場空間９１上の天井面に設けられている。第１センサ２１は、洗い場空間９１に居る入浴者を検出する。
【００３３】
第２センサ２２（検出部）は、浴室９内に設けられており、入浴者を検出する。より詳細には、第２センサ２２は、例えば人感センサであり、浴室９内の浴槽空間９２に設けられている。第２センサ２２は、例えば浴槽空間９２上の天井面に設けられている。第２センサ２２は、浴槽空間９２に居る入浴者つまり浴槽９３に入っている入浴者を検出する。
【００３４】
なお、第１センサ２１及び第２センサ２２は、入浴者の浴室９への入室及び退室、並びに浴槽９３への入浴を監視する入浴監視システムに用いられるセンサと兼用することができる。
【００３５】
（２．２）制御装置
制御装置３は、情報取得部３１と、判定部３２と、出力制御部３３と、リセット部３４と、記憶部３５と、通信部３６とを備える。制御装置３は、例えば、ＣＰＵ（Central Processing Unit：中央処理装置）等のプロセッサ及びメモリを含むコンピュータ（マイクロコンピュータを含む）を有する。コンピュータは、適宜のプログラムを実行することにより、制御装置３として機能する。
【００３６】
（２．２．１）情報取得部
情報取得部３１は、入浴者の入浴状況に関する物理量を取得する。より詳細には、情報取得部３１は、入浴状況に関する物理量として、第１センサ２１の検出結果及び第２センサ２２の検出結果を取得する。つまり、情報取得部３１は、第１センサ２１が入浴者を検出したときに第１センサ２１から検出結果を取得し、第２センサ２２が入浴者を検出したときに第２センサ２２から検出結果を取得する。
【００３７】
情報取得部３１は、入浴者の入浴状況に関する物理量の起点時（積算開始時）からの積算値を求める。より詳細には、情報取得部３１は、入浴者の入浴状況に関する物理量の積算値として、第１センサ２１及び第２センサ２２の検出結果のカウント数を求める。例えば、情報取得部３１は、第１センサ２１から検出結果を取得すると、検出結果のカウント数を１増加させる。同様に、情報取得部３１は、第２センサ２２から検出結果を取得すると、検出結果のカウント数を１増加させる。起点時（積算開始時）は、例えば消耗品が購入された日に設定される。なお、カウント数を増加させる検出結果は、浴室９内に入浴者が居るという検出結果である。浴室９内に入浴者が居ないときは、情報取得部３１は、第１センサ２１及び第２センサ２２の検出結果を取得しない。
【００３８】
ここで、本実施形態の情報取得部３１は、検出結果のカウント数を用いて入浴日数を求める。このため、１日で複数の検出結果を取得したとしても、情報取得部３１は、１日のうち最初の検出結果を取得したときだけカウント数を１増加させる。一方、情報取得部３１は、２回目以降の検出結果を取得したときはカウント数を増加させない。要するに、情報取得部３１は、入浴が１回以上あった日を１日とし、入浴日数をカウントする。
【００３９】
（２．２．２）判定部
判定部３２は、情報取得部３１で取得された物理量の積算開始時からの積算値が閾値を超えるか否かを判定する。より詳細には、情報取得部３１で取得された物理量の積算値は、第１センサ２１及び第２センサ２２の検出結果のカウント数である。本実施形態では、判定部３２に用いられるカウント数は、積算開始時からの入浴者の入浴日数である。閾値は、記憶部３５に記憶されている。したがって、本実施形態では、判定部３２は、上記カウント数が閾値以上であるか否かを判定する。より詳細には、判定部３２は、入浴者の入浴日数が閾値以上であるか否かを判定する。
【００４０】
（２．２．３）出力制御部
出力制御部３３は、入浴者の入浴状況に関する物理量の積算値が閾値以上であると判定部３２で判定された場合、入浴にかかわる消耗品の購入に関する情報を報知部に出力する。報知部としては、操作装置４の表示部４１及び音声出力部４３、並びに端末装置７である。本実施形置では、出力制御部３３は、検出結果のカウント数が閾値以上である場合、消耗品の購入に関する情報を報知するように報知部を制御する。消耗品の購入に関する情報としては、消耗品の購入を促す旨の情報、新しい消耗品を発注するための発注情報などがある。
【００４１】
報知部が表示部４１である場合、出力制御部３３は、消耗品の購入を促す旨の情報を表示するように表示部４１を制御する。報知部が音声出力部４３である場合、出力制御部３３は、消耗品の購入を促す旨の情報を音声で出力するように音声出力部４３を制御する。報知部が端末装置７である場合、出力制御部３３は、消耗品の購入を促す旨の情報を表示及び音声出力の少なくとも一方を行うように端末装置７を制御する。
【００４２】
報知部による報知頻度は、入浴者の入浴状況に関する物理量の積算値が閾値以上になった後、毎日であってもよいし、２日おきであってもよいし、１度きりであってもよい。
【００４３】
出力制御部３３による制御対象は、操作装置４の表示部４１及び音声出力部４３、並びに端末装置７の全てであってもよいし、一部であってもよい。あるいは、出力制御部３３は、出力制御部３３による制御対象をユーザが選択することが可能な機能を有していてもよい。
【００４４】
また、出力制御部３３は、入浴者の入浴状況に関する物理量の積算値が閾値以上である場合、新しい消耗品を発注するための発注情報をネット通販会社８に送信する。これにより、消耗品の自動発注が行われる。ネット通販会社８は、発注を受けると、消耗品をユーザに送り届ける。これにより、ユーザは、自ら店舗に行って消耗品を購入する必要がなく、消耗品の在庫切れの心配もない。
【００４５】
出力制御部３３は、消耗品の在庫がない旨の情報をネット通販会社８に送信してもよい。ネット通販会社８は、上記情報を取得すると、消耗品に関するおすすめ商品を紹介するようにしてもよい。
【００４６】
（２．２．４）記憶部
記憶部３５は、例えば半導体メモリを有し、入浴者の入浴状況に関する物理量の積算値を記憶する。より詳細には、記憶部３５は、入浴者の入浴状況に関する物理量の積算値として、第１センサ２１及び第２センサの検出結果のカウント数を記憶する。
【００４７】
また、記憶部３５は、判定部３２で用いられる閾値を記憶する。閾値の初期値は、制御装置３の製造時に入力されてもよいし、ユーザによって入力されてもよい。
【００４８】
記憶部３５は、制御装置３（コンピュータ）が各種の機能を実行するためのプログラムを格納している。上記プログラムは、制御装置３の出荷時に記憶部にあらかじめ格納されている。ただし、上記プログラムは、制御装置３の出荷後に制御装置３が取得してもよい。制御装置３が当該プログラムを出荷後に取得する場合、制御装置が当該プログラムを取得する手法の一例としては、当該プログラムを記録したコンピュータ読み取り可能な記録媒体を用いる手法がある。記録媒体を用いる手法の場合、制御装置３は、記録媒体のデータを読み取るための読取装置（図示せず）を備えていればよい。記録媒体としては、例えば光ディスクやメモリカードなどがある。読取装置としては、光ディスクの情報を読み出すドライブ装置や、メモリカードの情報を読み出すメモリカードリーダなどがある。また、制御装置３が当該プログラムを取得する他の手法としては、ネットワークを用いて当該プログラムを他の装置（例えばサーバ）からダウンロードする手法がある。当該プログラムをダウンロードする手法の場合、制御装置３は、ネットワークを用いて他の装置と通信するための通信機能を有していればよい。
【００４９】
（２．２．５）通信部
通信部３６は、操作装置４と通信する機能と、ネットワーク６を介して外部装置と通信する機能とを有する。具体的には、通信部３６は、ネットワーク６を介して、サーバ５と通信することが可能である。また、通信部３６は、ネットワーク６を介して、消耗品を販売するネット通販会社８と通信することも可能である。
【００５０】
（２．２．６）リセット部
リセット部３４は、消耗品が購入されたことに関する購入情報を取得する。そして、リセット部３４は、購入情報を取得すると、入浴者の入浴状況に関する物理量の積算値をリセットする。購入情報は、例えば、ネット通販会社８に対して消耗品が自動発注されたとき、ユーザが購入システムで消耗品を発注したとき、又は、ユーザが端末装置７のアプリケーションソフトウェア（アプリ）を用いて消耗品を発注したときに送られてくる。
【００５１】
記憶部３５は、購入情報を取得すると、積算開始時から購入タイミングまでの積算値を閾値として記憶する。つまり、記憶部３５は、上記積算値を新しい閾値となるように閾値を置き換える。
【００５２】
（２．３）操作装置
操作装置４は、表示部４１と、操作部４２と、音声出力部４３と、音声入力部４４とを備える。操作装置４は、例えばキッチンや浴室９内に設置されている。
【００５３】
表示部４１は、例えば表示パネルであり、浴槽９３に貯えられる湯水の温度、シャワーから出力される湯水の温度等、種々の情報を表示する。さらに、表示部４１は、出力制御部３３の制御に従って、消耗品の購入を促す旨の情報を表示する。操作部４２は、複数の操作ボタンを有し、湯水の温度の変更等、ユーザの種々の操作を受け付ける。
【００５４】
音声出力部４３は、例えば小型スピーカであり、種々の情報を音声にて出力してユーザに伝える。さらに、音声出力部４３は、出力制御部３３の制御に従って、消耗品の購入を促す旨の情報を音声で出力する。音声入力部４４は、小型マイクロフォンであり、ユーザの発する音声の入力を受け付ける。
【００５５】
（３）消耗品管理システムの動作
次に、本実施形態に係る消耗品管理システム１の動作（消耗品管理方法）について、図２を参照して説明する。
【００５６】
まず、浴室９に入浴者が居ると、検出装置２の第１センサ２１及び第２センサ２２の少なくとも一方が入浴者を検出する（ステップＳ１）。制御装置３の情報取得部３１が第１センサ２１の検出結果及び第２センサ２２の検出結果を取得する（ステップＳ２）。ステップＳ２における検出結果の取得が１日で初めての取得である場合（ステップＳ３のＹｅｓ）、情報取得部３１は、カウント数を１増加する（ステップＳ４）。一方、ステップＳ２における検出結果の取得が１日で初めての取得でない場合（ステップＳ３のＮｏ）、ステップＳ１に戻る。
【００５７】
続いて、カウント数が閾値以上であるか否かを判定部３２が判定する（ステップＳ５）。カウント数が閾値未満である場合（ステップＳ５のＮｏ）、記憶部３５はカウント数を記憶する（ステップＳ６）。その後、ステップＳ１に戻る。一方、ステップＳ５において、カウント数が閾値以上である場合（ステップＳ５のＹｅｓ）、出力制御部３３が報知部を制御する（ステップＳ７）。具体的には、出力制御部３３は、購入を促す情報を報知するように、操作装置４の表示部４１及び音声出力部４３を制御する。さらに、出力制御部３３は、端末装置７の表示画面に購入を促す情報を表示するように、端末装置７を制御する。その後、報知部が出力制御部３３の制御に従って報知する（ステップＳ８）。具体的には、表示部４１が、消耗品の購入を促す情報を表示する。また、音声出力部４３が、消耗品の購入を促す情報を音声で出力する。さらに、端末装置７は、消耗品の購入を促す情報を表示画面に表示する。
【００５８】
次に、消耗品管理システム１の動作の一例について図３を参照して説明する。図３の例では、消耗品はシャンプーとする。
【００５９】
まず、シャンプーの購入を促す旨の報知時に新しいシャンプーを購入した場合について説明する。
【００６０】
シャンプーが購入されたときに、第１センサ２１及び第２センサ２２の検出結果のカウント数の積算が開始される。つまり、浴室９への入室日数（入浴日数）のカウントが開始される。浴室９への入室日数（カウント数）が３０日（閾値）になると、シャンプーの購入を促す情報が報知される。
【００６１】
報知時に新しいシャンプーが購入された場合、カウント数はリセットされ、新しいシャンプーに対して、入浴日数のカウントが開始される。報知時に新しいシャンプーが購入されたため、前回の購入時から今回の購入時までの期間は３０日である。したがって、閾値は３０日のままである。
【００６２】
次に、シャンプーの購入を促す旨の報知後に新しいシャンプーを購入した場合について説明する。
【００６３】
シャンプーが購入されたときに、検出結果のカウント数の積算が開始される。つまり、入浴日数のカウントが開始される。入浴日数が３０日になると、シャンプーの購入を促す情報が報知される。
【００６４】
報知後も、まだシャンプーが残っていたため、新しいシャンプーの購入が報知よりも遅い。カウント数は新しいシャンプーが購入された時点でリセットされ、新しいシャンプーに対して、入浴日数のカウントが開始される。報知後に新しいシャンプーが購入されたため、前回の購入時から今回の購入時までの期間は４０日であり、現在の閾値（３０日）よりも長い。閾値は実際の購入タイミングに合わせるほうが好ましいので、新しい閾値は４０日になる。
【００６５】
次に、シャンプーの購入を促す旨の報知前に新しいシャンプーを購入した場合について説明する。
【００６６】
シャンプーが購入されたときに、検出結果のカウント数の積算が開始される。つまり、入浴日数のカウントが開始される。入浴日数が閾値（３０日）になる前に、シャンプーがなくなると、報知前に新しいシャンプーが購入される。この場合、カウント数は新しいシャンプーが購入された時点でリセットされるため、シャンプーの購入を促す情報は報知されない。そして、新しいシャンプーに対して、入浴日数のカウントが開始される。報知前に新しいシャンプーが購入されたため、前回の購入時から今回の購入時までの期間は２５日であり、現在の閾値（３０日）よりも短い。閾値は実際の購入タイミングに合わせるほうが好ましいので、新しい閾値は２５日になる。
【００６７】
なお、例えばリンスやボディソープのような、シャンプー以外の消耗品においても、シャンプーの場合と同様である。
【００６８】
（４）効果
以上説明したように、本実施形態に係る消耗品管理システム１では、入浴者の入浴状況に関する物理量の積算値が閾値以上である場合、入浴にかかわる消耗品の購入に関する情報を出力する。例えば、上記情報を操作装置４の表示部４１及び音声出力部４３、並びに端末装置７（報知部）に出力することによって、消耗品の購入を促す旨の情報を表示部４１、音声出力部４３、及び端末装置７に報知させることができるので、ユーザに対して、消耗品の残量がない又は少ないことを容易に把握させることができる。あるいは、上記情報をネット通販会社８に出力することによって、消耗品の自動発注を行うことができる。その結果、消耗品の在庫切れや過剰在庫とならないように、消耗品を容易に管理することができる。特に、消耗品が複数存在する場合、消耗品ごとに、残量がない又は少ないことを把握させることができるので、ユーザによる消耗品の在庫管理の負担を低減させることができる。
【００６９】
本実施形態に係る消耗品管理システム１は、浴室９内の入浴者を検出する第１センサ２１及び第２センサ２２の検出結果のカウント数が閾値以上である場合、消耗品の購入に関する情報を出力する。これにより、例えば入浴日数又は入浴回数に応じて、消耗品の購入を促すことができる。１日の入浴、１回の入浴あたりの消耗品の使用量は一定範囲内であることが多いので、消耗品の購入のタイミングの精度を高めることができる。
【００７０】
本実施形態に係る消耗品管理システム１は、消耗品が購入されたことに関する購入情報を取得すると、積算値をリセットする。これにより、新しい消耗品に対する管理を容易に開始させることができる。つまり、ユーザが手動でリセット作業を行うことなく、消耗品の購入と連動させて積算値をリセットさせることができる。
【００７１】
本実施形態に係る消耗品管理システム１は、消耗品が購入されたことに関する購入情報を取得すると、今回の積算開始時から購入タイミングまでの積算値を新しい閾値として用いる。これにより、消耗品の実際の消費期間に合うように閾値を変更することができるので、より精度の高いタイミングで消耗品の購入を促すことができる。複数の消耗品を管理する場合、商品別に閾値を変更することができるので、消耗品ごとに購入周期を設定することができる。
【００７２】
（５）変形例
以下、本実施形態の変形例について説明する。
【００７３】
本実施形態の変形例１として、判定部３２で用いられるカウント数は、積算開始時からの入浴者の入浴日数に限定されず、積算開始時からの入浴者の入浴回数であってもよい。本変形例の場合、判定部３２は、入浴回数が閾値以上であるか否かを判定する。
【００７４】
変形例１においても、情報取得部３１は、第１センサ２１及び第２センサ２２の検出結果のカウント数を求める。
【００７５】
ここで、情報取得部３１は、単位時間において、第１センサ２１の検出結果及び第２センサ２２の検出結果の両方を取得した場合、カウント数を２増加させるのではなく、１だけ増加する。つまり、単位時間において、第１センサ２１及び第２センサ２２の両方で入浴者が検出された場合、情報取得部３１は、１回の入浴で浴室９への入室及び浴槽９３への入浴の両方を行ったと判断する。単位時間とは、入浴者が入浴する１回あたりの時間をいう。単位時間は、例えば３０分のようにあらかじめ決められていてもよいし、ユーザがあらかじめ設定した時間であってもよい。入浴者ごとに、単位時間が異なっていてもよい。
【００７６】
また、情報取得部３１は、単位時間において、浴室９内の浴槽空間９２に居る入浴者を検出する第２センサ２２の検出結果を取得した場合のみ、検出結果のカウント数を１増加させることも可能である。言い換えると、情報取得部３１は、第１センサ２１の検出結果の取得の有無に関係なく、第２センサ２２の検出結果のみを用いて、検出結果のカウント数を求める。つまり、単位時間において、第２センサ２２で入浴者が検出された場合、情報取得部３１は、入浴者が浴槽９３に入ったと判断する。このとき、例えば入浴剤が使用されたといえる。
【００７７】
さらに、情報取得部３１は、単位時間において、浴室９内の洗い場空間９１に居る入浴者を検出する第１センサ２１の検出結果のみを取得した場合、浴槽９３への入浴は行われていないと判断する。
【００７８】
次に、変形例１に係る消耗品管理システム１の動作の一例について図４を参照して説明する。図４の例では、消耗品はシャンプー及び入浴剤とする。
【００７９】
まず、シャンプーの購入を促す旨の報知時に新しいシャンプーを購入した場合について説明する。
【００８０】
シャンプーが購入されたときに、第１センサ２１及び第２センサ２２の検出結果のカウント数の積算が開始される。つまり、浴室９への入室回数（入浴回数）のカウントが開始される。浴室９への入室回数（カウント数）が４０回（閾値）になると、シャンプーの購入を促す情報が報知される。
【００８１】
報知時に新しいシャンプーが購入された場合、カウント数はリセットされ、新しいシャンプーに対して、入浴回数のカウントが開始される。報知時に新しいシャンプーが購入されたため、前回の購入時から今回の購入時までの回数は４０回である。したがって、閾値は４０回のままである。
【００８２】
次に、シャンプーの購入を促す旨の報知後に新しいシャンプーを購入した場合について説明する。
【００８３】
シャンプーが購入されたときに、検出結果のカウント数の積算が開始される。つまり、入浴回数のカウントが開始される。入浴回数が４０回になると、シャンプーの購入を促す情報が報知される。
【００８４】
報知後も、まだシャンプーが残っていたため、新しいシャンプーの購入が報知よりも遅い。カウント数は新しいシャンプーが購入された時点でリセットされ、新しいシャンプーに対して、入浴回数のカウントが開始される。報知後に新しいシャンプーが購入されたため、前回の購入時から今回の購入時までの回数は５０回であり、現在の閾値（４０回）よりも多い。閾値は実際の購入タイミングに合わせるほうが好ましいので、新しい閾値は５０回になる。
【００８５】
次に、入浴剤の購入を促す旨の報知時に新しい入浴剤を購入した場合について説明する。
【００８６】
入浴剤が購入されたときに、第２センサ２２の検出結果のカウント数の積算が開始される。つまり、浴槽９３への入浴回数のカウントが開始される。浴槽９３への入浴回数（カウント数）が３０回（閾値）になると、入浴剤の購入を促す情報が報知される。
【００８７】
報知時に新しい入浴剤が購入された場合、カウント数はリセットされ、新しい入浴剤に対して、入浴回数のカウントが開始される。報知時に新しい入浴剤が購入されたため、前回の購入時から今回の購入時までの回数は３０回である。したがって、閾値は３０回のままである。
【００８８】
次に、入浴剤の購入を促す旨の報知後に新しい入浴剤を購入した場合について説明する。
【００８９】
入浴剤が購入されたときに、検出結果のカウント数の積算が開始される。つまり、入浴回数のカウントが開始される。入浴回数が３０回になると、入浴剤の購入を促す情報が報知される。
【００９０】
報知後も、まだ入浴剤が残っていたため、新しい入浴剤の購入が報知よりも遅い。カウント数は新しい入浴剤が購入された時点でリセットされ、新しい入浴剤に対して、入浴回数のカウントが開始される。報知後に新しい入浴剤が購入されたため、前回の購入時から今回の購入時までの回数は３５回であり、現在の閾値（３０回）よりも多い。閾値は実際の購入タイミングに合わせるほうが好ましいので、新しい閾値は３５回になる。
【００９１】
なお、例えばリンスやボディソープのような、シャンプー及び入浴剤以外の消耗品においても、シャンプー及び入浴剤の場合と同様である。
【００９２】
本実施形態の変形例２として、入浴状況に関する物理量は、入浴者の入浴に使用された湯量であってもよい。変形例２の場合、判定部３２は、積算開始時からの湯量の積算値が閾値以上であるか否かを判定する。つまり、入浴に使用された湯量の積算値によって、入浴日数又は入浴回数を推定することが可能である。本変形例の場合、入浴者の存在を検出する必要がないので、第１センサ２１及び第２センサ２２を省略することができる。
【００９３】
本実施形態の変形例３として、判定部３２は、入浴者ごとに、入浴者の入浴状況に関する物理量の積算値が閾値以上であるか否かを判定してもよい。変形例３の情報取得部３１は、入浴者を識別する識別部として機能する。
【００９４】
入浴者を識別するための方法としては、操作装置４の操作部４２を用いて入浴者を選択する方法がある。入浴者は、浴室９に入る前に操作装置４を操作して、入浴者を選択する。また、体重計と連動させて入浴者を識別してもよい。あるいは、浴槽９３の水位変化を利用して入浴者を識別してもよい。この場合、浴槽９３の水位変化を利用して計測される体脂肪率、入浴時の消費カロリー、入浴時間を自動的にグラフにて端末装置７等に表示させる管理システムと連動させることができる。
【００９５】
変形例３に係る消耗品管理システム１は、入浴者ごとに、積算値が閾値以上であるか否かを判定する。これにより、入浴者ごとに消耗品が異なる場合であっても、消耗品の管理を容易に行うことができる。例えば、家族において、入浴者ごとにシャンプーが異なる場合、複数のシャンプーの残量を管理するのは煩雑であるが、変形例３に係る消耗品管理システム１では、複数の消耗品に対しても容易に管理を行うことができる。
【００９６】
本実施形態の変形例４として、出力制御部３３は、入浴者の入浴状況に関する物理量の積算値が閾値未満であっても、消耗品の購入予告を報知するように報知部を制御してもよい。つまり、もうすぐ消耗品の残量がなくなるため、消耗品を購入する必要がある旨をユーザに知らせることができる。
【００９７】
本実施形態の変形例５として、検出装置２のセンサの数は、２つに限定されず、１つであってもよいし、３つ以上であってもよい。要するに、検出装置２は、少なくとも１つのセンサを有していればよい。
【００９８】
本実施形態の変形例６として、洗い場空間９１に居る人を検出する第１センサ２１は、洗い場空間９１上の天井面でなく、例えば浴室９内の操作装置４に設けられていてもよい。浴槽空間９２に居る人を検出する第２センサ２２は、浴槽空間９２上の天井面でなく、例えば浴室９内の操作装置４に設けられていてもよい。
【００９９】
本実施形態の変形例７として、操作装置４は、キッチンや浴室９内に設置されている操作リモコン（リモートコントローラ）に限定されない。操作装置４は、スマートフォンを含む携帯電話であってもよい。
【０１００】
上記の各変形例に係る消耗品管理システムにおいても、本実施形態に係る消耗品管理システムと同様の効果を奏する。
【０１０１】
（実施形態２）
実施形態２に係る消耗品管理システム１ａは、図５に示すように、外部装置５１からの入浴者の識別情報を用いて入浴者を識別する点で、実施形態１に係る消耗品管理システム１（図１参照）と相違する。
【０１０２】
（１）消耗品管理システムの構成
実施形態２に係る消耗品管理システム１ａは、図５に示すように、検出装置２と、制御装置３ａと、操作装置４とを備える。なお、実施形態２に係る消耗品管理システム１ａに関し、実施形態１に係る消耗品管理システム１（図１参照）と同様の構成要素については、同一の符号を付して説明を省略する。
【０１０３】
実施形態２の制御装置３ａは、情報取得部３１と、判定部３２と、出力制御部３３と、リセット部３４と、記憶部３５と、通信部３６と、識別部３７とを備える。なお、実施形態２の制御装置３ａに関し、実施形態１の制御装置３（図１参照）と同様の構成及び機能については説明を省略する。
【０１０４】
通信部３６は、サーバ５ａと通信する機能を有する。そして、通信部３６は、外部装置５１から出力される識別情報に基づく情報をサーバ５ａから受信する。ここで、識別情報とは、入浴者を識別するための情報をいう。
【０１０５】
識別部３７は、外部装置５１から出力される識別情報を用いて入浴者を識別する。言い換えると、識別部３７は、通信部３６で受信される情報を用いて、入浴者を識別する。より詳細には、識別部３７は、入浴者が入浴するごとに、外部装置５１から識別情報を受信するサーバ５ａから入浴者情報を取得し、入浴者情報を用いて入浴者を識別する。入浴者情報は、識別情報に基づく情報であり、入浴者を特定するための情報である。
【０１０６】
判定部３２は、識別部３７の識別結果を用いて、入浴者ごとに、積算値が閾値以上であるか否かを判定する。
【０１０７】
（２）外部装置
外部装置５１は、入浴者を識別するための識別情報を出力する。外部装置５１は、サーバ５ａと通信する機能を有する。
【０１０８】
外部装置５１は、一例として、入浴者と共に移動する移動装置である。より詳細には、外部装置５１は、入浴者と共に浴室又は脱衣室に持ち込まれる移動装置である。この場合の外部装置５１の具体例としては、入浴者の入浴状況を管理する携帯機器、スマートフォン等の携帯電話、ウェアラブルデバイスが挙げられる。ウェアラブルデバイスの例としては、入浴者の健康状態を計測するタグが挙げられる。
【０１０９】
また、外部装置５１は、他の例として、浴室又は脱衣室等に設置されている装置であってもよい。この場合の外部装置５１の具体例としては、生体認証を行う認証装置、音声認識が可能なＡＩスピーカが挙げられる。
【０１１０】
（２．１）外部装置が携帯機器である場合
外部装置５１が、入浴者の入浴状況を管理する携帯機器である場合について説明する。
【０１１１】
外部装置５１である携帯機器は、湯温を計測する温度センサ（図示せず）と、入浴時間を計測するタイマ（図示せず）とを備える。携帯機器には、携帯機器を識別するための機器情報があらかじめ設定されている。携帯機器は、入浴者ごとに保有されている。つまり、携帯機器の機器情報と入浴者とが一対一に対応する。これにより、携帯機器の機器情報によって入浴者を識別することができる。したがって、携帯機器の機器情報は、入浴者を識別するための識別情報に相当する。
【０１１２】
入浴者は、入浴するごとに、自己の携帯機器を浴室に持ち込む。携帯機器では、入浴者が入浴するごとに、浴室において、温度センサが湯温を計測し、タイマが入浴時間を計測する。そして、携帯機器は、入浴者が入浴するごとに、携帯機器の機器情報と共に、温度センサの計測結果と、タイマの計測結果とを、入浴者の入浴状況に関する入浴情報としてサーバ５ａに送信する。
【０１１３】
サーバ５ａは、入浴者が入浴するごとに、携帯機器から機器情報及び入浴情報を受信する。サーバ５ａは、機器情報及び入浴情報を受信すると、機器情報と入浴者情報との対応関係から、受信した機器情報に対応する入浴者情報を抽出する。入浴者情報とは、入浴者を特定するための情報である。その後、サーバ５ａは、抽出した入浴者情報を制御装置３ａに送信する。なお、サーバ５ａは、機器情報と入浴者情報との対応関係をあらかじめ記憶している。
【０１１４】
制御装置３ａでは、通信部３６がサーバ５ａから入浴者情報を受信すると、識別部３７が入浴者情報を用いて入浴者を識別する。
【０１１５】
（２．２）外部装置が携帯電話である場合
外部装置５１が、スマートフォン等の携帯電話である場合について説明する。
【０１１６】
外部装置５１である携帯電話には、例えば健康管理に関するアプリケーションソフトウェア（以下「アプリ」という）が格納されている。このアプリは、入浴者の入浴状況を管理するようになっている。このアプリを起動することにより、入浴者の入浴状況として、例えば、入浴者の入浴の有無、入浴時間等を管理することが可能である。また、携帯電話には、入浴者（携帯電話の保持者）を識別するための識別情報があらかじめ登録されている。携帯電話は、入浴者ごとに保有されている。
【０１１７】
入浴者は、入浴時に、自己の携帯電話を浴室又は脱衣室に持ち込んで、携帯電話のアプリを起動する。アプリが起動することにより、携帯電話が、入浴者の識別情報と共に、入浴者の入浴状況に関する入浴情報をサーバ５ａに送信する。
【０１１８】
サーバ５ａは、入浴者が入浴するごとに、携帯電話から識別情報及び入浴情報を受信する。サーバ５ａは、識別情報及び入浴情報を受信すると、識別情報を制御装置３ａに送信する。
【０１１９】
制御装置３ａでは、通信部３６がサーバ５ａから識別情報を受信すると、識別部３７が識別情報を用いて入浴者を識別する。
【０１２０】
（２．３）外部装置がウェアラブルデバイスである場合
外部装置５１が、入浴者の身体に装着されているウェアラブルデバイス（例えばタグ）である場合について説明する。
【０１２１】
外部装置５１であるウェアラブルデバイスは、入浴者の身体に装着されており、血圧等を計測する。ウェアラブルデバイスは、例えば、入浴者の手首等に巻かれている状態で使用される。ウェアラブルデバイスには、ウェアラブルデバイスを識別するためのデバイス情報があらかじめ設定されている。ウェアラブルデバイスは、入浴者ごとに保有されている。つまり、ウェアラブルデバイスのデバイス情報と入浴者とが一対一に対応する。これにより、ウェアラブルデバイスのデバイス情報によって入浴者を識別することができる。したがって、ウェアラブルデバイスのデバイス情報は、入浴者を識別するための識別情報に相当する。
【０１２２】
また、ウェアラブルデバイスは、他の装置と通信するための通信機能を有し、電池が内蔵されている。これにより、ウェアラブルデバイスは、デバイス情報と共に、計測結果をサーバ５ａに送信することが可能である。
【０１２３】
サーバ５ａは、入浴者が入浴するごとに、ウェアラブルデバイスからデバイス情報及び計測結果を受信する。サーバ５ａは、デバイス情報及び計測結果を受信すると、デバイス情報と入浴者情報との対応関係から、受信したデバイス情報に対応する入浴者情報を抽出する。その後、サーバ５ａは、抽出した入浴者情報を制御装置３ａに送信する。
【０１２４】
制御装置３ａでは、通信部３６がサーバ５ａから入浴者情報を受信すると、識別部３７が入浴者情報を用いて入浴者を識別する。
【０１２５】
（２．４）外部装置が認証装置である場合
外部装置５１が、入浴者を認証する認証装置である場合について説明する。
【０１２６】
認証装置は、入浴前、入浴中、入浴後のいずれかのタイミングで、入浴者に対する生体認証を行う。生体認証の例としては、入浴者の指紋を用いて入浴者を認証する指紋認証、入浴者の静脈パターンを用いて入浴者を認証する静脈認証、入浴者の虹彩を用いて入浴者を認証する虹彩認証が挙げられる。
【０１２７】
認証装置は、入浴者の認証に用いられる入浴者の生体情報をあらかじめ記憶している。認証装置は、入浴者が入浴するごとに、入浴者の入浴時に入力される生体情報と、あらかじめ記憶されている生体情報とを照合し、入浴者を認証する。認証装置は、認証結果を、入浴者を識別するための識別情報として、サーバ５ａに送信する。
【０１２８】
サーバ５ａは、入浴者が入浴するごとに、認証装置から認証結果を受信する。サーバ５ａは、認証結果を受信すると、受信した認証結果を制御装置３ａに送信する。
【０１２９】
制御装置３ａでは、通信部３６がサーバ５ａから認証結果を受信すると、識別部３７が認証結果を用いて入浴者を識別する。
【０１３０】
なお、外部装置５１である認証装置は、操作装置４と一体に設けられていてもよい。この場合、操作装置４は、入浴者の生体情報を読み取る読取部を備える。例えば、認証装置が、指紋認証を行う装置である場合、操作装置４は、指紋を読み取る読取部を備える。操作装置４は、認証装置の認証結果を制御装置３ａに出力する。制御装置３ａは、サーバ５ａを介さずに、操作装置４から認証結果を取得し、入浴者を識別する。
【０１３１】
（２．５）外部装置がＡＩスピーカである場合
外部装置５１が、音声認識が可能なＡＩスピーカである場合について説明する。
【０１３２】
ＡＩスピーカは、音又は音声を出力するスピーカ機能と、音又は音声を受け付けるマイク機能と、マイクで受け付けられた音声を認識する音声認識機能とを有する。入浴者は、入浴時に、ＡＩスピーカに対して、例えば自分の名前及び入浴を行う旨の言葉を話す。ＡＩスピーカは、入浴者の音声を認識すると、認識結果を、入浴者を識別するための識別情報として、サーバ５ａに送信する。
【０１３３】
サーバ５ａは、入浴者が入浴するごとに、ＡＩスピーカから認識結果を取得する。サーバ５ａは、認識結果を受信すると、受信した認識結果を制御装置３ａに送信する。
【０１３４】
制御装置３ａでは、通信部３６がサーバ５ａから認識結果を受信すると、識別部３７が認識結果を用いて入浴者を識別する。
【０１３５】
（３）効果
実施形態２に係る消耗品管理システム１ａは、外部装置５１からの識別情報を用いて入浴者を識別する。これにより、入浴者を容易に識別することができる。
【０１３６】
実施形態２に係る消耗品管理システム１ａによれば、外部装置５１及びサーバ５ａを含む外部システムからの情報を用いて、入浴者を容易に識別することができる。
【０１３７】
（４）変形例
実施形態２の変形例として、消耗品管理システム１ｂは、図６に示すように、入浴者の識別情報を外部装置５１ｂから直接取得してもよい。
【０１３８】
本変形例の外部装置５１ｂは、制御装置３ｂと無線通信する機能を有する。外部装置５１ｂは、識別情報を制御装置３ｂに送信する。
【０１３９】
本変形例に係る消耗品管理システム１ｂは、図６に示すように、検出装置２と、制御装置３ｂと、操作装置４とを備える。
【０１４０】
制御装置３ｂは、情報取得部３１と、判定部３２と、出力制御部３３と、リセット部３４と、記憶部３５と、通信部３６と、識別部３７と、無線通信部３８とを備える。
【０１４１】
無線通信部３８は、外部装置５１ｂと無線通信する機能を有する。無線通信の例としては、無線ＬＡＮ（Ｗｉ−Ｆｉ（登録商標）を含む）、Ｂｌｕｅｔｏｏｔｈ（登録商標）が挙げられる。
【０１４２】
識別部３７は、無線通信部３８で受信された識別情報を用いて、入浴者を識別する。言い換えると、識別部３７は、入浴者が入浴するごとに、外部装置５１から識別情報を取得する。
【０１４３】
本変形例に係る消耗品管理システム１ｂは、サーバ５を介さずに、外部装置５１ｂからの識別情報を取得することができる。これにより、簡単なシステム構成で入浴者を識別することができる。
【０１４４】
なお、外部装置５１ｂは、無線通信でなく、通信線を用いて制御装置３ｂと通信してもよい。この場合、無線通信部３８は必須構成でなく、通信部３６が外部装置５１ｂから識別情報を受信する。例えば専用ケーブルで、外部装置５１ｂと制御装置３ｂとが接続して通信を行う。
【０１４５】
以上説明した実施形態及び変形例は、本発明の様々な実施形態及び変形例の一部に過ぎない。また、実施形態及び変形例は、本発明の目的を達成できれば、設計等に応じて種々の変更が可能である。
【符号の説明】
【０１４６】
１，１ａ，１ｂ  消耗品管理システム
２１  第１センサ（検出部）
２２  第２センサ（検出部）
３１  情報取得部（識別部）
３２  判定部
３３  出力制御部
３４  リセット部
３５  記憶部
３７  識別部
５，５ａ  サーバ
５１，５１ｂ  外部装置
９  浴室
【図１】
2019185760.tif 000003
【図２】
2019185760.tif 000004
【図３】
2019185760.tif 000005
【図４】
2019185760.tif 000006
【図５】
2019185760.tif 000007
【図６】
2019185760.tif 000008